(57)【要約】【課題】ジョブを実行させるデバイスへのログインを従来より容易に、迅速に行うことができ、ひいては、それだけ該デバイスが使い易くなるデバイス管理プログラム及びデバイス管理プログラム記録媒体、さらにはデバイス管理装置を提供する。【解決手段】コンピュータＣＰに、デバイスＤ２００等にログインを実行するためのログイン実行画面ｄ１をディスプレイＤＰに表示させ、該画面表示後はユーザによる該画面の消去があるまで、該画面表示を維持させる機能を実現させるデバイス管理プログラム及び該プログラムを記録したコンピュータ読み取り可能の記録媒体Ｍ。デバイスＤ２００等にログインを実行するためのログイン実行画面ｄ１をディスプレイＤＰに表示させ、該画面表示後はユーザによる該画面の消去があるまで、該画面表示を維持させるためのログイン部１０１を有するデバイス管理装置１００。【選択図】  図１
2006119948.tif 000002
【特許請求の範囲】
【請求項１】
コンピュータに、該コンピュータからの指示に基づいてジョブを実行するデバイスへログイン実行のためのログイン情報を送信させ、該デバイスでのログイン処理結果に基づいて、該ログイン情報送信後の、該デバイスにジョブを実行させるための所定の処理を実行させるデバイス管理プログラムであり、該コンピュータに、該デバイスにログインを実行するためのログイン実行画面をディスプレイ表示させ、該画面表示後はユーザによる該画面の消去があるまで、該画面表示を維持させる機能を実現させるためのデバイス管理プログラム。
【請求項２】
前記ログイン実行画面表示に先立って、前記コンピュータに、該コンピュータに対応しているデバイスを表示して該表示デバイスから所定デバイスをユーザに選択させるためのデバイス一覧画面を前記ディスプレイに表示させる機能を実現させる請求項１記載のデバイス管理プログラム。
【請求項３】
前記デバイスは、ユーザジョブ情報が蓄積されるデバイスであり、
前記ログイン情報送信後の、前記デバイスにジョブを実行させるための所定の処理には、前記デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理が含まれており、
前記コンピュータに、該要求命令処理の機能、該受信処理の機能及び該蓄積ジョブ情報画面表示処理の機能を実現させる請求項１又は２記載のデバイス管理プログラム。
【請求項４】
コンピュータに、該コンピュータからの指示に基づいてジョブを実行するデバイスへログイン実行のためのログイン情報を送信させ、該デバイスでのログイン処理結果に基づいて、該ログイン情報送信後の、該デバイスにジョブを実行させるための所定の処理を実行させるデバイス管理プログラムであって、該コンピュータに、該デバイスにログインを実行するためのログイン実行画面をディスプレイ表示させ、該画面表示後はユーザによる該画面の消去があるまで、該画面表示を維持させる機能を実現させるためのデバイス管理プログラムを記録したコンピュータ読み取り可能の記録媒体。
【請求項５】
前記デバイス管理プログラムは、前記ログイン実行画面表示に先立って、前記コンピュータに、該コンピュータに対応しているデバイスを表示して該表示デバイスから所定デバイスをユーザに選択させるためのデバイス一覧画面を前記ディスプレイに表示させる機能を実現させる請求項４記載のデバイス管理プログラムを記録したコンピュータ読み取り可能の記録媒体。
【請求項６】
前記デバイスは、ユーザジョブ情報が蓄積されるデバイスであり、
前記ログイン情報送信後の、前記デバイスにジョブを実行させるための所定の処理には、前記デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理が含まれており、
前記デバイス管理プログラムは、前記コンピュータに、該要求命令処理の機能、該受信処理の機能及び該蓄積ジョブ情報画面表示処理の機能を実現させる請求項４又は５記載のデバイス管理プログラムを記録したコンピュータ読み取り可能の記録媒体。
【請求項７】
ジョブを実行するデバイスへログイン実行のためのログイン情報を送信し、該デバイスでのログイン処理結果に基づいて該ログイン情報送信後の、該デバイスにジョブを実行させるための所定の処理を実行するデバイス管理装置であり、該デバイスにログインを実行するためのログイン実行画面をディスプレイ表示させ、該画面表示後はユーザによる該画面の消去があるまで、該画面表示を維持させるためのログイン部を有しているデバイス管理装置。
【請求項８】
前記ログイン実行画面表示に先立って、デバイス管理装置に対応しているデバイスを表示して該表示デバイスから所定デバイスをユーザに選択させるためのデバイス一覧画面を前記ディスプレイに表示させるデバイス一覧画面表示部を含んでいる請求項７記載のデバイス管理装置。
【請求項９】
前記デバイスは、ユーザジョブ情報が蓄積されるデバイスであり、
前記ログイン情報送信後の、前記デバイスにジョブを実行させるための所定の処理には、前記デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理が含まれており、
該要求命令処理のための蓄積ジョブ情報要求命令送信部、該受信処理のための蓄積ジョブ情報受信部及び該蓄積ジョブ情報画面表示のための蓄積ジョブ情報表示部を含んでいる請求項７又は８記載のデバイス管理装置。
【発明の詳細な説明】
【技術分野】
【０００１】
本発明は、プリンタ、フアクシミリ機とプリンタを組み合わせた複合機等のデバイスを管理するデバイス管理プログラム及びデバイス管理プログラム記録媒体に関し、また、かかるデバイスを管理するデバイス管理装置に関する。
【背景技術】
【０００２】
コンピュータからの指示に基づいてジョブを実行する各種デバイスを例にとると、それらデバイスは、それらを動作させるためのプログラムをコンピュータに実行させることで実際の使用が可能になるのであるが、その場合、コンピュータに接続されたディスプレイに、使用しようとするデバイスに対応したログイン実行画面を表示させ、そのログイン実行画面を用いて、ログイン情報（ログインユーザの名前、パスワード等）を該デバイスに送信してログインする場合がある。
【０００３】
かかる従来のログイン実行画面は、ログイン処理が実行された後はディスプレイ画面から消されてしまう。従って、例えば、一つのデバイスにジョブを実行させたのち、同じデバイスに異なるジョブを実行させようとする場合、具体例を挙げれば、プリンタにＡ氏のためにドキュメントＸをプリントさせ、引き続き同じプリンタにＢ氏のためにドキュメントＹをプリントさせる場合、消えたログイン実行画面を再び立ち上げ、それによりプリンタにログインしなおす必要がある。
【０００４】
このように、ログイン実行画面はログイン処理が終わると消えてしまうのであるが、ログアウトを要求するためのログアウトボタンについては、ログアウト忘れを防止するための工夫が提案されている。すなわち、特開２００３−９９３９９号公報には、サーバによって提供されるサービス利用時に、サービスを表示する画面表示が変更されたり、画面領域がスクロールさたり、画面領域サイズが変更されたりしても、ログオフ操作ボタンを表示させ続けるサービス終了ボタン表示システムが記載されている。
【０００５】
【特許文献１】特開２００３−９９３９９号公報
【発明の開示】
【発明が解決しようとする課題】
【０００６】
しかしながら、既述のように、ログイン処理が実行された後はログイン実行画面が消えてしまうと、再びログイン実行画面を立ち上げる、手間を要する、煩わしい作業が必要とすなる。例えば、前記のように、同じプリンタに、Ａ氏のためにドキュメントＸを、引き続きＢ氏のためにドキュメントＹを、さらに引き続きＣ氏のためにドキュメントＺをプリントさせるような場合において、これをプリント操作専業オペレータが行う場合、該オペレータの作業は、手間のかかる、煩わしいものとなる。
【０００７】
そこで本発明は、ジョブを実行させるデバイスへのログインを従来より容易に、迅速に行うことができ、ひいては、それだけ該デバイスが使い易くなるデバイス管理プログラム及びデバイス管理プログラム記録媒体、さらにはデバイス管理装置を提供することを課題とする。
【課題を解決するための手段】
【０００８】
本発明はかかる課題を解決するため次のデバイス管理プログラム及びデバイス管理プログラム記録媒体、さらにはデバイス管理装置を提供する。
本発明に係るプログラム、記録媒体、管理装置による管理対象となり得るデバイスとしては、例えば、プリンタ、プリンタとファクシミリ機との複合機を挙げることができるが、これに限定されない。また、デバイスの数は一つでもよいし、複数でもよい。
【０００９】
（１）デバイス管理プログラム
コンピュータに、該コンピュータからの指示に基づいてジョブを実行するデバイスへログイン実行のためのログイン情報を送信させ、該デバイスでのログイン処理結果に基づいて、該ログイン情報送信後の、該デバイスにジョブを実行させるための所定の処理を実行させるデバイス管理プログラムであり、該コンピュータに、該デバイスにログインを実行するためのログイン実行画面をディスプレイ表示させ、該画面表示後はユーザによる該画面の消去があるまで、該画面表示を維持させる機能を実現させるためのデバイス管理プログラム。
【００１０】
（２）デバイス管理プログラム記録媒体
コンピュータに、該コンピュータからの指示に基づいてジョブを実行するデバイスへログイン実行のためのログイン情報を送信させ、該デバイスでのログイン処理結果に基づいて、該ログイン情報送信後の、該デバイスにジョブを実行させるための所定の処理を実行させるデバイス管理プログラムであって、該コンピュータに、該デバイスにログインを実行するためのログイン実行画面をディスプレイ表示させ、該画面表示後はユーザによる該画面の消去があるまで、該画面表示を維持させる機能を実現させるためのデバイス管理プログラムを記録したコンピュータ読み取り可能の記録媒体。
【００１１】
（３）デバイス管理装置
ジョブを実行するデバイスへログイン実行のためのログイン情報を送信し、該デバイスでのログイン処理結果に基づいて該ログイン情報送信後の、該デバイスにジョブを実行させるための所定の処理を実行するデバイス管理装置であり、該デバイスにログインを実行するためのログイン実行画面をディスプレイ表示させ、該画面表示後はユーザによる該画面の消去があるまで、該画面表示を維持させるためのログイン部を有しているデバイス管理装置。
【００１２】
本発明に係るデバイス管理プログラム、デバイス管理プログラム記録媒体、デバイス管理装置によると、デバイスへログイン後も、ログイン実行画面表示が、ユーザによる該画面消去が無いかぎり維持されるので、該デバイスにログインユーザのためのジョブを実行させたあと、もう一度同じユーザ或いは他のユーザのために所望のデバイスにログインしてジョブを実行させようとするとき、ログイン実行画面をその都度立ち上げる必要がなく、表示され続けているログイン実行画面を用いて再びデバイスにログインして、所望のジョブを実行させることができる。
【００１３】
このように、デバイスにジョブを実行させるための該デバイスへのログインを従来より容易に、迅速に行うことができるようになり、ひいては、それだけ該デバイスが使い易くなる。
【００１４】
本発明に係るデバイス管理プログラムは、さらに、前記ログイン実行画面表示に先立って、前記コンピュータに、該コンピュータに対応しているデバイスを表示して該表示デバイスから所定デバイスをユーザに選択させるためのデバイス一覧画面を前記ディスプレイに表示させる機能を実現させるものでもよい。
【００１５】
本発明に係るデバイス管理プログラムの管理対象となるデバイスは、該デバイスにログインしたログインユーザに関するユーザジョブ情報、例えば、ログインユーザ自身及び（又は）ログインユーザに関係するユーザの該デバイスによるジョブ情報、例えば、デバイスがプリンタであれば、そのプリンタでログインユーザがプリントしたドキュメントの種類、該ドキュメント原稿枚数、ユーザ名などの情報を蓄積できるものでもよい。
【００１６】
このように管理対象デバイスがユーザジョブ情報が蓄積されるデバイスである場合、前記「ログイン情報送信後の、デバイスにジョブを実行させるための所定の処理」に含まれる処理の例として、デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理を挙げることができる。
【００１７】
この場合、デバイス管理プログラムは、前記コンピュータに、該要求命令処理の機能、該受信処理の機能及び該蓄積ジョブ情報画面表示処理の機能を実現させるものとすることができる。
このようにログインユーザの蓄積ジョブ情報が表示されると、該ログインユーザが以前にデバイスに実行させたジョブと同じジョブをもう一度実行させたい場合、かかる表示された蓄積ジョブ情報からそのジョブを選択することで、容易に同じジョブを該デバイスに実行させることができる。
【００１８】
また、本発明に係るデバイス管理プログラム記録媒体においても、それに記録されているデバイス管理プログラムは、前記ログイン実行画面表示に先立って、前記コンピュータに、該コンピュータに対応しているデバイスを表示して該表示デバイスから所定デバイスをユーザに選択させるためのデバイス一覧画面を前記ディスプレイに表示させる機能を実現させるものでもよい。
【００１９】
また、デバイスがユーザジョブ情報が蓄積されるデバイスである場合、「ログイン情報送信後の、該デバイスにジョブを実行させるための所定の処理」に含まれる処理の例として、該デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理を例示できる。
【００２０】
この場合、記録媒体に記録されたデバイス管理プログラムは、前記コンピュータに、該要求命令処理の機能、該受信処理の機能及び該蓄積ジョブ情報画面表示処理の機能を実現させるものとすることができる。
【００２１】
また、本発明に係るデバイス管理装置においても、ログイン実行画面表示に先立って、デバイス管理装置に対応しているデバイスを表示して該表示デバイスから所定デバイスをユーザに選択させるためのデバイス一覧画面を前記ディスプレイに表示させるデバイス一覧画面表示部を含んでいてもよい。
【００２２】
また、デバイスがユーザジョブ情報が蓄積されるデバイスである場合、「ログイン情報送信後の、該デバイスにジョブを実行させるための所定の処理」に含まれる処理の例として、該デバイスでのログイン処理後に、該デバイスにログインユーザに関する蓄積ジョブ情報送信を要求する要求命令処理、該デバイスから送信されてくる該蓄積ジョブ情報を受信する処理及び該受信した蓄積ジョブ情報を表示して該蓄積ジョブ情報から所定のジョブをログインユーザが選択できるようにするために該蓄積ジョブ情報画面を前記ディスプレイに、前記ログイン実行画面表示を維持したまま表示させる処理を例示できる。
【００２３】
この場合、該要求命令処理のための蓄積ジョブ情報要求命令送信部、該受信処理のための蓄積ジョブ情報受信部及び該蓄積ジョブ情報画面表示のための蓄積ジョブ情報表示部を含むことができる。
【発明の効果】
【００２４】
以上説明したように本発明によると、ジョブを実行させるデバイスへのログインを従来より容易に、迅速に行うことができ、ひいては、それだけ該デバイスが使い易くなるデバイス管理プログラム及びデバイス管理プログラム記録媒体、さらにはデバイス管理装置を提供することができる。
【発明を実施するための最良の形態】
【００２５】
以下、本発明の実施形態について説明する。
図１は本発明に係るデバイス管理装置の１例を示している。このデバイス管理装置１００はコンピュータＣＰを含んでいる。コンピュータＣＰには、その操作のためのキーボードＫ及びマウスｍが接続されているとともにディスプレイＤＰが接続されている。コンピュータＣＰには本発明に係るデバイス管理プログラムを記録したコンピュータ読み取り可能のディスク型の記録媒体Ｍを搭載できる。
【００２６】
記録媒体ＭをコンピュータＣＰに搭載して、該記録媒体に記録されたデバイス管理プログラムに基づいてコンピュータＣＰが動作できるように設定することで、これらがデバイス管理装置１００を構成する。
記録媒体ＭはコンピュータＣＰに着脱できるディスク型のものであるが、本発明に係る記録媒体はこれに限定されるものではない、例えば、本発明に係るデバイス管理プログラムが記録されたコンピュータ内の記録媒体等であってもよい。
【００２７】
デバイス管理装置１００は、通信網Ｎを介して複数のデバイスＤ１００、Ｄ２００、Ｄ３００・・・・に接続可能である。通信網Ｎとしては、ＬＡＮ、ＷＡＮ等、それ自体すでに知られている各種通信網を採用できる。無線通信等も利用できる。
【００２８】
複数のデバイスＤ１００・・・は、メーカ、機種、機能等のうち少なくとも一つが互いに異なるものであってもよいし、デバンイス群の中に同じデバイスが複数含まれていてもよい。ここでのデバイスＤ１００・・・は、それぞれ、ユーザジョブ情報を蓄積でき、蓄積されたジョブを実行できるものである。ユーザジョブ情報とは、プリンタを例にとれば、プリンタにログインしてジョブを実行させたユーザに係るジョブ情報であり、例えば、プリントドキュメントの種類、該ドキュメントの原稿枚数、ユーザ名等である。
【００２９】
デバイス管理装置１００を機能的にブロック化して図示すると概ね図２に示すようになる。図２には、デバイスＤ１００、Ｄ２００、Ｄ３００・・・・の装置１００と関連する機能も、デバイスＤ２００（本例ではプリンタ）を例にとって、ブロック化して示してある。
【００３０】
図２に示すように、デバイス管理装置１００は、デバイス一覧画面表示部１００’、ログイン部１０１、蓄積ジョブ情報要求命令送信部１０２、蓄積ジョブ情報受信部１０３、蓄積ジョブ情報表示部１０４及びジョブ実行命令送信部１０５等を含んでいる。
【００３１】
一方、デバイス（プリンタ）Ｄ２００は、ログイン処理部２０１、ログインユーザ情報保持部２０２、蓄積ジョブ情報要求命令受信部２０３、蓄積ジョブ情報準備部２０４、蓄積ジョブ情報送信部２０５及びジョブ（ここではプリント）実行部２０６等を含んでいる。
【００３２】
また、図３には、記録媒体Ｍに記録されたデバイス管理プログラムに基づくコンピュータＣＰの動作及びこれに対応するプリンタＤ２００の動作をそれぞれ通信網Ｎを間において示してある。
【００３３】
図２を参照してデバイス管理装置１００についてさらに説明すると、デバイス一覧画面表示部１００’は、デバイスへのログインに先立って、装置１００に対応しているデバイス群Ｄ１００、Ｄ２００、Ｄ３００・・・をディスプレイＤＰに一覧表示させる。
【００３４】
図４にデバイス一覧画面の例を示す。図４の例では、デバイス群が表示されるとともに、各デバイスについて、「使用可能」、「用紙なし」、「トナーなし」等のデバイス状態（ステータス）等も併せて表示される。ユーザはこの画面を見て、使用しようとデバイス欄をクリックしてデバイスを選択できる。「閉じ」ボタンＢ１をクリックするとこの画面を閉じることができる。
本例では、図４に示すデバイス群における第１欄に表示のデバイスがデバイスＤ１００、第２欄に表示のデバイスがプリンタでＤ２００、第３欄に表示のデバイスがＤ３００・・・・である。
【００３５】
装置１００のログイン部１０１は、デバイス一覧画面から選択されたデバイスにログインを実行するためのログイン実行画面をディスプレイＤＰに表示させ、ユーザが該画面を消去（閉じる）まで、換言すれば、該デバイスからログアウトするまで、ログイン実行画面の表示を維持し続ける。
【００３６】
図５に、ユーザインターフェースの１例である画面表示を示す。ここには、ログイン実行画面ｄ１のほか、ログインしたデバイスにおいて蓄積されているユーザのジョブ情報（蓄積ジョブ情報）一覧画面ｄ２も併せ表示される。
ログイン実行画面ｄ１には、ログイン情報であるユーザ名入力部ｗ１及びパスワード入力部ｗ２が表示され、ログイン実行ボタンＢ２も表示される。
【００３７】
画面ｄ２に表示される蓄積ジョブ情報の内容は、後述するように現在ログインしているユーザに関するものであり、ログインユーザが変わるごとに、該ユーザに対応した内容に変更される。図６はログインユーザがＡであり、Ａに関係する蓄積ジョブ情報が表示されている例を示している。
【００３８】
ログインユーザは表示される蓄積ジョブ情報一覧画面ｄ２から、プリンタに実行させたいジョブを示す情報欄をクリックして該ジョブを選択できる。
なお、「閉じ」ボタンＢ３をクリックすることでこれら画面ｄ１、ｄ２を閉じ、ログアウトできる。
【００３９】
プリンタのログイン処理部２０１は、装置１００のログイン部１０１から送信されるログイン情報を受信し、ログイン結果（ログイン成功）をログイン部１０１に返信する。
プリンタのログインユーザ情報保持部２０２では、ログイン処理部２０１でログインが成功したユーザ情報を保持する。
【００４０】
装置１００の蓄積ジョブ情報要求命令送信部１０２は、ログイン部１０１でのログイン実行が成功すると、プリンタの蓄積ジョブ情報要求命令受信部２０３に対して蓄積ジョブ情報を要求する。
【００４１】
プリンタの蓄積ジョブ情報要求命令受信部２０３は、蓄積ジョブ情報要求命令を受信すると、蓄積ジョブ情報準備部２０４に、送信する蓄積ジョブ情報を用意させる。このとき準備部２０４は、ログインユーザ情報保持部２０２で保持されているログインユーザ情報を確認し、現在ログインしているユーザに関係する蓄積ジョブ情報を用意する。
プリンタの蓄積ジョブ情報送信部２０５は、蓄積ジョブ情報準備部２０４で用意された蓄積ジョブ情報を送信する。
【００４２】
装置１００では、蓄積ジョブ情報受信部１０３が蓄積ジョブ情報を受信すると、蓄積ジョブ情報表示部１０４が、該受信された蓄積ジョブ情報を図５の蓄積ジョブ情報一覧画面ｄ２に表示させる。        
【００４３】
以上の説明から理解できるように、装置１００のログイン部１０１でログインユーザを変更するごとに、その変更したユーザに関係する蓄積ジョブ情報が表示される。図７はログインユーザがＢに変更されたことで、Ｂに係る蓄積ジョブ情報が表示される例を示している。
【００４４】
装置１００のジョブ実行命令送信部１０５は、蓄積ジョブ情報一覧画面ｄ２に表示されているジョブからログインユーザが選択したジョブの実行命令を送信する。
プリンタのプリント実行部２０６は、ジョブ実行命令送信部１０５からのジョブ実行命令を受けて、選択された蓄積ジョブのプリントを実行する。
【００４５】
デバイスにジョブを実行させるのは、個々のユーザ自身でもよいが、該デバイスの操作を専業とするオペレータ等でもよい。
上記の例において、プリント専業オペレータが、複数のユーザのために、プリンタＤ２００に各ユーザのためのジョブを実行させる場合を想定すると、ログイン実行画面ｄ１（図５参照）は一旦立ち上げると、これを閉じない限り常時表示され続けるので、一人のユーザのためのプリント作業が終了すると、直ちに、該ログイン実行画面ｄ１を用いて次のユーザのログイン情報（ユーザ名、パスワード）を入力して、該ユーザのためのプリント作業を開始できる。勿論、該次のユーザ自身がログインを行う場合でも、同様にログイン実行画面ｄ１を用いてログイン情報（ユーザ名、パスワード）を入力し、プリント作業を開始できる。
このように、デバイスへのログインを従来より容易に、迅速に行うことができ、ひいては、それだけ該デバイスが使い易くなる。
【００４６】
ここで、かかる一連の手順を実行するコンピュータＣＰの動作及びそれに関連するプリンタＤ２００の動作を図３のフローチャートを参照して説明しておく。
＜コンピュータＣＰの動作＞
プログラムがスタートすると、ディスプレイＤＰにデバイス一覧画面（図４参照）を表示させ、デバイスが選択されると、ログイン実行画面（図５参照）を表示する（ステップＳ１１、Ｓ１２、Ｓ１３）。
【００４７】
この画面を用いてログインが実行され、成功すると、プリンタに対し蓄積ジョブ情報を要求し、プリンタから送られてくるログインユーザに関する蓄積ジョブ情報を受信し、これをディスプレイＤＰに表示させる（ステップＳ１４〜Ｓ１８）。
【００４８】
次いでジョブの選択（指定）があると、そのジョブの実行命令をプリンタに対して行い、プリンタからのジョブ終了通知をまって、再びステップＳ１４に戻る。この間、ログイン実行画面は常時表示されており、ジョブ終了後にステップＳ１４に戻ったときも、ログイン実行画面は表示されているので、直ちに、次のユーザのためのログインを実行できる。
【００４９】
ステップ１４でログイン実行が「ＮＯ」のときは、ステップＳ１４’でログアウトか否か、すなわち、「閉じ」ボタンＢ３（図５〜図７参照）がクリックされたか否かを判断し、ログアウトでないときは、ログイン実行を待つことになる。ステップＳ１４’でログアウトであると、ログイン実行画面ｄ１、蓄積ジョブ情報一覧画面ｄ２は閉じ、ステップＳ１１に戻る。
【００５０】
ステップＳ１２でデバイス選択が「ＮＯ」のときは、ステップＳ１２’でプログラムの終了か否か、すなわち、「閉じ」ボタンＢ１（図４参照）がクリックされたか否かを判断し、終了でないときは、デバイス選択を待ち、終了のときは、プログラムを終了する。        
【００５１】
＜プリンタＤ２００の動作＞
プリンタ側では、ログインがあると、ログインユーザ情報を受信し、保持するとともにログイン成功を装置１００に送信する（ステップＳ２１、Ｓ２２）。そして、蓄積ジョブ情報の要求があると、ログインユーザに関する蓄積ジョブ情報を準備し、これを装置１００へ送信する（ステップＳ２３、Ｓ２４、Ｓ２５）。
【００５２】
装置１００へ送信した蓄積ジョブ情報に基づいてジョブ実行命令があると、そのジョブを実行するとともにジョブ進行状況を装置１００に送信し、最終的にジョブを完了する。      
【００５３】
以上説明した実施形態では、ログイン実行画面ｄ１とともに表示される蓄積ジョブ情報一覧画面ｄ２はログインユーザ自身のものの蓄積ジョブ情報を表示しているが、該画面ｄ２に表示される蓄積ジョブ情報は、ログインユーザ自身のものばかりでなく、ログインユーザと何らかの関係があるユーザ、例えばログインユーザと共同で何かの研究開発を行っているユーザに係るジョブであって、ログインユーザにおいても該ジョブをデバイスに実行させる必要がある場合、或いはそれを可能とすることが望ましいような場合には、かかるユーザの蓄積ジョブ情報の全部又は一部が表示されてもよい。要するに、一般的に言えば、蓄積ジョブ情報一覧画面ｄ２には、ログインユーザに適する蓄積ジョブ情報が表示されるようにしておけばよい。
【産業上の利用可能性】
【００５４】
本発明は、デバイスにジョブを実行させるにあたり、その作業を容易に、迅速に行うことを可能にし、事務作業等を効率化する等に利用できる。
【図面の簡単な説明】
【００５５】
【図１】本発明に係るデバイス管理装置の１例の概略構成を、デバイス例とともに示す図である。
【図２】図１に示すデバイス管理装置及びそれに関連するデバイスをそれぞれ機能的にブロック化して示す図である。
【図３】図１に示すデバイス管理装置を構成するコンピュータの動作及び該コンピュータ動作に関連するデバイス動作を示すフローチャートである。
【図４】デバイス一覧画面例を示す図である。
【図５】ログイン実行画面及び蓄積ジョブ情報一覧画面の例を示す図である。
【図６】ログインユーザがＡである場合の、ログイン実行画面及び蓄積ジョブ情報一覧画面の例を示す図である。
【図７】ログインユーザがＢである場合の、ログイン実行画面及び蓄積ジョブ情報一覧画面の例を示す図である。
【符号の説明】
【００５６】
１００  デバイス管理装置
ＣＰ  コンピュータ
Ｍ  デバイス管理プログラム記録媒体
ＤＰ  ディスプレイ
Ｋ  キーボード
ｍ  マウス
Ｎ  通信網
Ｄ１００、Ｄ２００、Ｄ３００  デバイス
ｄ１  ロクイン実行画面
ｗ１  ログインユーザ名入力部
ｗ２  パスワード入力部
Ｂ２  ログイン実行ボタン
ｄ２  蓄積ジョブ情報一覧画面
Ｂ１、Ｂ３  閉じボタン
【図１】
2006119948.tif 000003
【図２】
2006119948.tif 000004
【図３】
2006119948.tif 000005
【図４】
2006119948.tif 000006
【図５】
2006119948.tif 000007
【図６】
2006119948.tif 000008
【図７】
2006119948.tif 000009